(57)【特許請求の範囲】
【請求項１】
天板部と、天板部の左右端部下面に配設された左右脚体と、左右脚体間に配設された幕板部を有し、幕板部の左右端部側に運搬用把手部が形成されている机において、前記運搬用把手部は、指先を挿入するための開口部と、開口部に連続する指先挿入空間が形成された把手を有し、把手の開口部と指先挿入空間によって、コード等の挿通孔が形成されている事を特徴とする机。
【請求項２】
前記挿通孔は、幕板部の前面側に形成された配線スペースに臨んで形成されている事を特徴とする請求項１に記載の机。
【請求項３】
１２０度で交差する１０００〜１５００ミリの左右後縁部と、左右後縁部の左右側端部と９０度で交差する５００〜７００ミリの奥行き寸法を有する左右縁部と 、左右縁部の前端部と９０度で交差し、奥行き寸法より短い左右前縁部と、左右前縁部の中央側端部と連続する略円弧状の中央前縁部より周縁が構成された天板部と、天板部の左右端部下面に配設された左右脚体と、天板部の左右後縁部の交差部下面に配設された中間脚体と、左右脚体と中間脚体の後面間に配設された左右幕板を有し、左右幕板の左右端部側に運搬用把手部が形成されている机において、前記運搬用把手部は、指先を挿入するための開口部と、開口部に連続する指先挿入空間が形成された把手を有し、把手の開口部と指先挿入空間によって、コード等の挿通孔が形成されている事を特徴とする机。
【請求項４】
前記挿通孔は、左右幕板の前面側に形成された配線スペースに臨んで形成されている事を特徴とする請求項３に記載の机。
【発明の詳細な説明】
【０００１】
【発明の属する技術分野】
本発明は、効率的なデスクワークが行え、レイアウト変更も容易な机に関するものである。
【０００２】
【従来の技術】
近年、ＯＡの進展にともなって、オフィスで使用される机にも多様化が要求されており長方形の天板を有した机以外に、六角形の天板を備えた机も提供されている。（特公平５−３７０４４号）
そして、効率的な執務作業を行うには、コンピュータ操作や筆記作業等の主作業を行う主作業スペース、次の仕事の準備や使う書類等を置く待機スペース、使用頻度の高い書類や機器を置く準備スペースが有り、作業者が椅子を回転するだけで、上腕部の動作範囲内に各スペースが位置しているのが望ましい。
【０００３】
しかしながら、上記机（特公平５−３７０４４号）は、主作業スペースのみを有し、待機スペースや準備スペースを確保するためには、左右前端縁部に長方形の天板を有した通常の執務机を配列しなければならない。
すなわち、一人が使用するスペースとしては広すぎ、各スペースで必要な作業を行う場合、その都度椅子を移動しなければならず非効率的であるばかりか、限られた執務空間に収納される人数も制限されるという問題があった。
さらに、机上におかれたＯＡ機器の配線コードが露出するばかりか、対向する机におかれたＯＡ機器に連続して配線する時も、机上にコードが露出し、作業スペースを確保する障害となっていた。
又、レイアウトを変更する時も、移動する机の数が必然的に多くなり、搬送時の手掛かり部もなく、容易でなかった。
【０００４】
【発明が解決しようとする課題】
本発明は上記問題に鑑みてなされたものであり、最小のスペースで効率的な執務が可能で、執務内容、部屋の広さ、収容人数等に応じて種々のレイアウトが可能で、対向する机への連続配線が可能なだけでなく、レイアウト変更時等における机の運搬等も容易な机を提供する事を課題とする。
【０００５】
【課題を解決する為の手段】
そこで、上記課題を解決する為、本発明の第１の手段として構成したところは、天板部と、天板部の左右端部下面に配設された左右脚体と、左右脚体間に配設された幕板部を有し、幕板部の左右端部側に運搬用把手部が形成されている机において、前記運搬用把手部は、指先を挿入するための開口部と、開口部に連続する指先挿入空間が形成された把手を有し、把手の開口部と指先挿入空間によって、コード等の挿通孔が形成されているものである。
【０００６】
次に、本発明が第２の手段として構成したところは、第１の手段に加え、前記挿通孔は、幕板部の前面側に形成された配線スペースに臨んで形成されているものである。
【０００７】
次に、本発明が第３の手段として構成したところは、１２０度で交差する１０００〜１５００ミリの左右後縁部と、左右後縁部の左右側端部と９０度で交差する５００〜７００ミリの奥行き寸法を有する左右縁部と、左右縁部の前端部と９０度で交差し、奥行き寸法より短い左右前縁部と、左右前縁部の中央側端部と連続する略円弧状の中央前縁部より周縁が構成された天板部と、天板部の左右端部下面に配設された左右脚体と、天板部の左右後縁部の交差部下面に配設された中間脚体と、左右脚体と中間脚体の後面間に配設された左右幕板を有し、左右幕板の左右端部側に運搬用把手部が形成されている机において、前記運搬用把手部は、指先を挿入するための開口部と、開口部に連続する指先挿入空間が形成された把手を有し、把手の開口部と指先挿入空間によって、コード等の挿通孔が形成されているものである。
次に、本発明が第４の手段として構成したところは、第３の手段に加え、前記挿通孔は、左右幕板の前面側に形成された配線スペースに臨んで形成されているものである。
【０００８】
【実施例】
以下、本発明を添付図面に基づいて説明する。尚、説明の便宜上、使用者側を前面側とし、左右の方向は使用者を基準として説明する。
図１において、符号１０は本発明の机を示し、机１０は、天板部１と、天板部１の左右端部下面に配設された略コ字形の左右脚体２、２と、左右脚体２、２間で天板部１の中央後部を支持する中間脚体４、左右脚体２、２と中間脚体４の後面間に配設された幕板部３より構成されている。
【０００９】
天板部１は、１２０度で交差する１０００〜１５００ミリ（実施例では１１９２ミリ）の左右後縁部１１、１１と、左右後縁部１１、１１の左右側端部と９０度で交差する５００〜７００ミリ（実施例では５５０ミリ）の奥行き寸法を有する左右縁部１２、１２と、左右縁部１２、１２の前端部と９０度で交差し、奥行き寸法より短い左右前縁部（実施例では４７０ミリ）１３、１３と、左右前縁部１３、１３の中央側端部と連続する略円弧状（実施例では７００ミリの半径を有する６分の１円弧状）の中央前縁部１４より周縁１００を有する偏平板状に形成されている。符号２００は天板部１の下面に移動自在に配設される移動キャビネットを示している。（図３に示す。）
【００１０】
符号５は配線カバー部を示し、配線カバー部５は、所定位置にコード挿通用切り欠き孔５０、５０が形成され、前記左右後縁部１１、１１の後端面に設けられた取付金具５１、５１の上部と天板部１の左右後縁部１１、１１間に、前端部が嵌入して、天板部１の上面と面一に取付られる左右配線カバー体５２、５２より構成されている。
そして、前記コード挿通用切り欠き孔５０・・・は、左右配線カバー体５２、５２の裏面側に固定された閉塞部材５４の弾性材からなる繊維体５３・・・にて閉塞されている。
尚、実施例では天板部１の左右後縁部１１、１１の後端面に左右配線カバー体５２、５２を着脱自在にとりつけているが、天板部１の奥行寸法を大きめに形成し、その左右後縁部１１、１１の所定位置を切り欠いてコード挿通用切り欠き孔となし、これに閉塞部材５４を設けるようにすれば、左右配線カバー体５は必要でない。又、実施例では、配線カバー部５は、加工、運送、保管等に対する配慮から、左右配線カバー体５２、５２より構成しているが、一体に形成しても良い事は云うまでもない。
【００１１】
左右脚体２、２は対向した同形に形成され、天板部１の左右縁部１２、１２の下面に配設されているので、一方側についてのみ説明する。
脚体２は、下脚杆２１と、下脚杆２１の後部に立設された縦脚杆２２と、縦脚杆２２の上端に形成された上脚杆２３より略コ字形に形成され、前記天板部１の連結用螺孔に対応して天板連結孔を有し、連結ネジにて天板部１と連結されている。
【００１２】
中間脚体４は、後端面が１２０度よりやや小さめの角度を有する偏平柱状に形成され、上面全端部に設けられた天板連結座が、天板部１の左右後縁１１、１１の交差部下面に連結されている。すなわち、左右脚体２、２、中間脚体４に後端部の左右後縁１１、１１からに後方への突出寸法は同一に形成され、それぞれの上面で、前記左右配線カバー体５２、５２の左右端部を支持している。
【００１３】
幕板部３は、左右脚体２、２と中間脚体４間に連結される左右対称形に形成された左右幕板３１、３１より構成されている。従って一方の幕板３１についてのみ説明する。
右幕板３１は、右脚体２の後端面と中間脚体４の後端面右側部と上端が天板部１と面一で、下端が中間脚４及び右脚体２のほぼ下端部まで達する大きさに形成された表面板３２と、表面板３２の上端に連設されて前面側に突出し、天板部１と面一に形成された横向きＬ字形の上面板３３と、表面板３２の下端に連設されて前面側に突出する略コ字形の下面板３４と、表面板３２の中間脚体４側の端部に６０度の角度をもって前面側に突出して連設された略Ｌ字形の左側面板３５と、表面板３２の右脚体２側の端部に前面側に突出して連設された略Ｌ字形の右側面板３６より構成されている。
【００１４】
符号６０、６０は、表面板３２の上部左右端部側に形成された運搬用把手部を示し、符号３７は、表面板３２の前面と上面板３３の前面間に形成された上補強材を示し、符号３８は、表面板３２の前面と下面板３４の前面間に形成された下補強材を示し、符号３９は、表面板３２の上下方向略中央部の前面に形成された中補強材を示し、符号３３０は上面板３３の左右端部側に形成された机上用仕切板の取付孔を隠蔽するキャップを示している。右幕板３１は上記の如く形成され、表面板３２の中間脚体４及び右脚体２側の端部前面に前面側に突出して形成された連結座（図示せず。）と各脚体２、４の内外面を連結ネジ等で連結され、各脚体２、４及び配線カバー部５の後面を隠蔽している。
【００１５】
そして、幕板部３が各脚体２、２、４と連結された後、中補強材３９、下補強材３８の前面側に、所定位置に上下方向のコード挿通孔（図示せず。）が形成され前面側に略横向きＬ字形に突出して形成された上下配線用受け材７１、７２が必要に応じて連結ネジ等で連結され、余剰コード等の収納場所となる配線スペース８が、前記配線カバー部５の下方に形成される。
符号９は、前記上下配線用受け材７１、７２の前面側に係止手段とネジ止め等にて着脱自在に取付られ、余剰コード等を隠蔽する為の前面パネルを示している。尚、実施例では、幕板部３は加工、運送、保管等に対する配慮から、左右幕板３１、３１より構成しているが、一体に形成しても良い事は云うまでもない。
以上のように、実施例では、天板部１の左右縁部１１、１１、配線カバー部５の左右配線カバー体５２、５２の左右端部側面、幕板部３の左右幕板３１、３１の左右側端面３６、３６を合わせた寸法が６５０ミリで、左右幕板３１、３１の幅寸法が１２５０ミリで、中央前縁部１４が７００ミリの半径を有する６分の１円弧状となった作業スペース有する机１０が構成される。
【００１６】
運搬用把手部６０は、表面板３２に形成された取付孔６１と把手６より構成されている。取付孔６１は、前面側にやや突出し、把手６の後方側への移動を規制する規制突片６１１・・・を周縁に有し、上下の規制突片６１１、６１１の所定位置には、更に前面側に突出する固定用突片６１２・・・が形成されている。
【００１７】
把手６は、前記取付孔６１に合致し、中央部に指先等を挿入するための開口部６２を有する手掛かり縁部６３と、手掛かり縁部６３の前面側に連設された、前面側が開口して前記開口部６２に連続する指先挿入空間６４を有する手掛かり縁部６３より大径の指先挿入部６５と、指先挿入部６５上下側後面に連設された、前記固定用突片６１２・・・が嵌入する固定片嵌入孔６６・・・を有する把手固定部６７・・・が、上下対称形に合成樹脂材より一体に形成されて構成されている。
【００１８】
把手６は上記の如く構成され、幕板３１の表面板３２の前面側から、前記表面板の取付孔６１に、手掛かり縁部６３が嵌入して、固定用突片６１２・・・を固定片嵌入孔６６・・・に嵌入させて、規制突片６１１・・・の前端が指先挿入部６５の後面に当接させ（図５に示す状態）、次に、固定片嵌入孔６６・・・を上方或いは下方に折り曲げて、把手固定部６７・・・の前面側に位置せしめて（図５の仮想線に示す状態）、把手６を把手取付孔６１に固定し運搬用把手部６０を構成することで、開口部６２と指先挿入空間６４によって、配線スペース８に臨むコード等の挿通孔９０が形成される。
【００１９】
【発明の効果】
請求項１に記載の本発明によれば、幕板部の左右端部側に運搬用把手部が形成されているので、荷重分布が均等でない机であっても運搬作業が非常に容易である。
さらに、運搬把手部の把手に形成された開口部と開口部に連続する指先挿入空間によって、コード等の挿通孔が形成されているので、対向して机を配置してもＯＡ機器への連続配線が可能であり、作業スペースを制限する事もない。
【００２０】
請求項２に記載の本発明によれば、前記挿通孔は、幕板部の前面側に形成された配線スペースに臨んで形成されているため、余剰コード等が天板上に露出することがなく、作業スペースを制限する事もない。
請求項３に記載の本発明によれば、主作業スペース、待機スペース、準備スペースが、作業者が椅子を回転するだけで、上腕部の動作範囲内に位置しているので効率的な執務作業を行う事ができる。又、運搬用把手部が左右幕板の左右端部に形成されているので、机の荷重分布が均等でない場合であっても、運搬作業が非常に容易であるうえに、運搬把手部の把手に形成された開口部と開口部に連続する指先挿入空間によって、コード等の挿通孔が形成されているので、対向して机を配置してもＯＡ機器への連続配線が可能であり、作業スペースを制限する事もない。
請求項４に記載の発明によれば、上記効果に加え、前記挿通孔は、左右幕板の前面側に形成された配線スペースに臨んで形成されているため、余剰コード等が天板上に露出することがなく、作業スペースを制限する事もない。
【図面の簡単な説明】
【図１】     本発明の斜視図
【図２】     本発明を背面図
【図３】     本発明の平面図
【図４】     幕板部の要部縦断面図
【図５】     運搬用把手部の要部拡大縦断面図
【図６】     把手の本発明の平面図
【図７】     本発明のレイアウト図
【符号の説明】
１           天板部
１０         机
１１、１１   左右後縁部
１２、１２   左右縁部
１３、１３   左右前縁部
１４         中央前縁部
１００       周縁
２、２       左右脚体
３           幕板部
３１、３１   左右幕板
６０         運搬用把手部
８           配線スペース
９０         挿通孔
【図１】
0003745965.tif 000002
【図２】
0003745965.tif 000003
【図３】
0003745965.tif 000004
【図４】
0003745965.tif 000005
【図５】
0003745965.tif 000006
【図６】
0003745965.tif 000007
【図７】
0003745965.tif 000008